(57)【特許請求の範囲】
【請求項１】
電気通信システムが、少なくとも、第１の電気通信ネットワークおよび第２の電気通信ネットワークを備え、
少なくとも１つの補足電気通信サービスを提供する電気通信システムで使用する方法であって、
前記電気通信システムを通して通信を初期化する第１の局と前記通信が初期化される第２の局との間での通信のための設定手順を開始するステップと、
ポートした局の番号およびアドレスを変更しないですむように、前記第１の電気通信ネットワークから前記第２の電気通信ネットワークへの局のポートを容易にする番号ポータビリティ・サービスに対して問い合わせを送信するステップと、
前記第２の局が前記ポートした局であるかどうかを判断するステップと、
前記設定手順が完了し、前記第１の局に対する前記少なくとも１つの補足電気通信サービスの提供が開始される第２のフェーズの前の第１のフェーズ中に、前記少なくとも１つの補足電気通信サービスに前記ポートした局であるかどうかの判断の結果を通知するステップとを含むことを特徴とする方法。
【請求項２】
請求項１に記載の方法において、
前記第２の局に対する前記番号ポータビリティ・サービスの状態を判断するステップと、前記少なくとも１つの補足電気通信サービスに前記状態を通知するステップとが、前記番号ポータビリティ・サービスおよび前記少なくとも１つの補足電気通信サービスの両方を制御している制御ノードで行われることを特徴とする方法。
【請求項３】
請求項２に記載の方法において、
前記補足電気通信サービスが、ＩＮＡＰプロトコル・スイートに基づいて行われ、前記制御ノードが、サービス制御ポイント（ＳＣＰ）および前記番号ポータビリティ・サービスの番号ポータビリティ・レジスタを備えることを特徴とする方法。
【請求項４】
請求項２に記載の方法において、
前記補足電気通信サービスが、移動ネットワーク強化論理用のカスタマイズされたアプリケーションに基づいて行われ、前記制御ノードが、サービス制御ポイント（ＳＣＰ）と前記番号ポータビリティ・サービスの番号ポータビリティ・レジスタとを備えることを特徴とする方法。
【請求項５】
請求項１乃至４の何れかに記載の方法において、
前記少なくとも１つの補足電気通信サービスが、前記第２の局が、ポートした局であると判断された場合にだけ、前記判断結果の通知を受けることを特徴とする方法。
【請求項６】
請求項１乃至５の何れかに記載の方法において、
前記番号ポータビリティ・サービスは、前記電気通信システムが提供する前記補足電気通信サービスのうちの１つであることを特徴とする方法。
【請求項７】
請求項１乃至６の何れかに記載の方法において、
前記電気通信システムが、ネットワーク・コントローラと、前記移動通信ネットワークの個々の加入者に関連するユーザ関係データを記憶するためのホーム・ロケーション・レジスタとを備え、前記番号ポータビリティ・サービスが、前記ネットワーク・コントローラと前記ホーム・ロケーション・レジスタとの間に転送情報レジスタを備え、
前記設定手順中に、前記ネットワーク・コントローラから前記ホーム・ロケーション・レジスタに転送情報問い合わせとして問い合わせを送信し、前記転送情報問い合わせを前記転送情報レジスタを通して送るようにする前記番号ポータビリティ・サービスへの問い合わせを送信するステップと、
前記第２の局の前記番号ポータビリティ・サービスの状態に関する状態情報を前記転送情報レジスタのところで決定し、前記第２の局がポートしたかどうかを判断するステップと、
前記第２の局がポートした番号であると判断された場合に、前記転送情報問い合わせが、前記ホーム・ロケーション・レジスタに入ることができないようにしながら、前記ネットワーク・コントローラに前記状態情報を返送する前記少なくとも一つの補足電気通信サービスに前記判断の結果を通知するステップとを含むことを特徴とする方法。
【請求項８】
請求項１乃至７の何れかに記載の方法において、
前記番号ポータビリティ・サービスの状態が、補足電気通信アプリケーション・プロトコル・スイートの発呼状態モデルの最初のところで確認されることを特徴とする方法。
【請求項９】
請求項８に記載の方法において、
前記状態の確認には、ＩＮＡＰまたはＣＡＭＥＬプロトコルの最初の検出ポイントのところで、サービス・ルーチング・レジスタ問い合わせを送信するステップを含むことを特徴とする方法。
【請求項１０】
電気通信システムで使用するためのネットワーク素子であって、
前記電気通信システムが、少なくとも第１の電気通信ネットワークおよび第２の電気通信ネットワークを備え、前記電気通信システムで通信している局に対して、少なくとも１つの補足電気通信サービスを提供し、
第１の局と第２の局との間の呼出しの設定手順を行うための呼出し設定手段と、
前記少なくとも１つの補足電気通信サービスを制御するための制御手段と、
前記局に対して、ポートした局の番号およびアドレスを変更しないですむように、前記第１の電気通信ネットワークから前記第２の電気通信ネットワークへの局のポートを容易にする番号ポータビリティ・サービスを提供するための手段とを備え、
前記ネットワーク素子が、前記第２の局がポートした局であるかどうかを判断し、前記設定手順が完了し、前記第１の局による呼出しに対して前記少なくとも１つの補足電気通信サービスの使用が開始される第２のフェーズの前の第１のフェーズ中に前記少なくとも１つの補足電気通信サービスに、前記ポートした局であるかどうかの判断結果を通知するように配置されていることを特徴とするネットワーク素子。
【請求項１１】
請求項１０に記載のネットワーク素子において、
前記第２の局が、ポートした局であるかどうかの前記判断が、前記番号ポータビリティ・サービスを提供するための手段により行われることを特徴とするネットワーク素子。
【請求項１２】
請求項１０または請求項１１に記載のネットワーク素子において、前記少なくとも１つの補足電気通信サービスを制御するための前記制御手段がサービス制御ポイントを備え、番号ポータビリティ・サービスを提供するための前記手段がルーチング・レジスタを備えることを特徴とするネットワーク素子。
【請求項１３】
請求項１２に記載のネットワーク素子において、
前記ネットワーク素子が、前記補足電気通信サービスを実行するためのインテリジェント・ネットワーク・アプリケーション部（ＩＮＡＰ）を使用するように、また、前記インテリジェント・ネットワーク・アプリケーション部（ＩＮＡＰ）プロトコルの発呼状態モデルの始めのところで、前記第２の局に対する前記番号ポータビリティ・サービスの状態を確認するように構成されていることを特徴とするネットワーク素子。
【請求項１４】
請求項１０または請求項１１に記載のネットワーク素子において、
前記ネットワーク素子が、移動ネットワーク強化論理用のカスタマイズされたアプリケーションを使用するように構成されていて、前記制御手段が、サービス制御ポイント（ＳＣＰ）を、前記番号ポータビリティ・サービスを提供するための手段が前記番号ポータビリティ・サービスの番号ポータビリティ・レジスタを備えることを特徴とするネットワーク素子。
【請求項１５】
請求項１０乃至１４の何れかに記載のネットワーク素子において、
前記番号ポータビリティ・サービスが、前記補足電気通信サービスのうちの１つであることを特徴とするネットワーク素子。
【請求項１６】
請求項１０乃至１５の何れかに記載のネットワーク素子において、
前記電気通信システムが、第１の移動ネットワークと第２の移動ネットワークとを備え、前記被呼局が、前記第１の移動ネットワークから前記第２の移動ネットワークにポートした移動局であることを特徴とするネットワーク素子。
【請求項１７】
システムに接続している少なくとも２つの局を通信することができるようにする電気通信システムであって、
第１の電気通信ネットワークと、
第２の電気通信ネットワークと、
前記システムと通信している局に対して少なくとも１つの補足電気通信サービスを提供するための補足電気通信サービス手段と、
前記少なくとも１つの補足電気通信サービスを制御するための制御手段と、
第１の局と第２の局との間の呼出しの設定手続きを行うための呼出し設定手段と、
前記局に対して、ポートした局の番号およびアドレスを変更しないですむように、前記第１の電気通信ネットワークから前記第２の電気通信ネットワークへの局のポートを容易にする番号ポータビリティ・サービスを提供するための手段とを備え、
前記通信電気システムは、前記第２の局がポートした局であるかを判断し、
設定手順が完了し、前記第１の局による呼出しに対して前記少なくとも１つの補足電気通信サービスの使用が開始される第２フェーズの前の第１のフェーズ中に、前記少なくとも１つの補足電気通信サービスに前記ポートした局であるかどうかの判断結果を通知するように配置されていることを特徴とする電気通信システム。
【請求項１８】
請求項１７に記載の電気通信システムにおいて、
前記被呼局が、ポートした局であるかどうかの前記判断が、前記番号ポータビリティ・サービスを提供するための手段により行われることを特徴とする電気通信システム。
【請求項１９】
請求項１７または１８に記載の電気通信システムにおいて、
前記少なくとも１つの補足電気通信サービスを制御するための前記制御手段が、サービス制御ポイントを備え、番号ポータビリティ・サービスを提供するための前記手段がルーチング・レジスタを備えることを特徴とする電気通信システム。
【請求項２０】
請求項１７乃至１９の何れかに記載の電気通信システムにおいて、
前記番号ポータビリティ・サービスは、前記電気通信システムが提供する前記補足電気通信サービスのうちの１つであることを特徴とする電気通信システム。
【請求項２１】
請求項１７乃至２０の何れかに記載の電気通信システムにおいて、
第１の移動ネットワークおよび第２の移動ネットワークとを備え、前記被呼局が、前記第１の移動ネットワークから前記第２の移動ネットワークにポートした移動局であることを特徴とする電気通信システム。
【発明の詳細な説明】
【０００１】
（発明の分野）
本発明は、電気通信システムに関し、特に、移動電気通信を含み、そのユーザに対する補足電気通信サービスを提供する移動電気通信システムに関する。
【０００２】
（発明の背景）
固定ライン・ターミナル、または（移動電話、またはデータ処理機能を持つトランシーバ・ユニット、またはＴＣＰ／ＩＰプロトコル（トランスポート制御プロトコル／インターネット・プロトコル）スイート（ｓｕｉｔｅ）、または類似のユーザ装置を使用する機能を持つトランシーバ・ユニットのような）移動局のユーザは、加入番号およびアドレスを変更しないで、元の加入にサービスを行っているオペレータから他のオペレータに切り替えたい場合がある。このようなことができれば、オペレータに対するユーザの立場が強化され、また、ユーザは、いくつかのオペレータによる最も有利な申し出を容易に利用することができるようになり、および／または何時でも、金銭的に最も価値のある、および／または最も有利なサービスを提供するオペレータを利用できるようになる。
【０００３】
移動局のユーザは、上記の場合に、いわゆる移動番号ポータビリティ（ＭＮＰ）機能を使用することができる。ＭＮＰに対する１つの方法についてのより詳細な説明については、ＥＴＳＩ  ＭＮＰ（欧州電気通信標準協会−移動番号ポータビリティ）仕様を参照されたい。通常、ＭＮＰを使用すると、ネットワークまたはオペレータが変化しても、すなわち、あるオペレータと他のオペレータとの間でポート（ｐｏｒｔ）しても、移動局加入者の番号を変更しないでそのままで使用することができる。このことは、ＭＮＰにおいては、移動局加入者は、自分の元のＭＳＩＳＤＮ（移動局加入者ＩＳＤＮ番号）を変更しないで、同じ国内で加入ネットワークを変更することができる。原則的には、ある国のあるオペレータから他の国のあるオペレータへ切り替えることもできるが、いくつかの国の間での移動を禁止するいくつかの国際法規および規則がある場合がある。
【０００４】
ＭＮＰ割当てを使用してきた移動局ユーザ（または加入者）は、エクスポートまたは移動した移動局ユーザと呼ばれることもある。ポートした移動局ユーザに対する呼出しは、ほとんどの場合、その国の要件により、最初に、もとのままの移動局番号に基づいて（すなわち、ユーザのＭＳＩＳＤＮに基づいて）、ユーザの元のネットワークに転送される。その後で、古いネットワーク内に位置する特定のルーチング・レジスタが、その番号がエクスポートされた番号であることを認識して、その呼出しに関連する信号法を新しい受入れネットワークに転送する。その後で、呼出しは、新しいネットワークのルーチング装置により被呼移動局加入者に転送される。ＭＮＰ装置は、また、短メッセージ（例えば、ＧＳＭ  ＳＭＳメッセージ）、および他の呼出しに関連しない信号法を転送することもできる。
【０００５】
すでに説明したように、番号ポータビリティ・サービスが動作できるように、電気通信ネットワーク内には、すでに専用ルーチング・レジスタまたはデータベースが実行されている。上記レジスタは、ポートした移動局加入者の必要な転送情報を含む。あるネットワークにおいては、各ネットワーク内、または外から発信し、影響を受けた呼出しに関連しない信号法メッセージ、および転送問合わせメッセージのすべてを、ルーチング・レジスタ（または、数個のレジスタ）を通して転送することができる。ルーチング・レジスタは、例えば、以下の機能を提供することができる。
【０００６】
−ネットワーク自身の加入者宛ての、Ｅ．１６４宛ＳＣＣＰ（信号法接続制御部）メッセージの正しいＨＲＬ（ホーム・ロケーション・レジスタへの中継：加入者に関連する情報を含む加入ネットワーク内のレジスタ）；
−例えば、ポートした加入者宛てであり、他のネットワークによるサービスを受けた転送問合わせメッセージのＭＡＰ（移動アプリケーション部）、レベルＮＰ（番号ポータビリティ）アプリケーションへの中継。ＮＰアプリケーションは、ＭＡＰ  ＳＲＩ（転送情報の送信）応答メッセージ内での転送番号の返送を行う。その後で、呼出しを処理するために、転送番号により呼出しを受入れネットワークへ転送することができる。
【０００７】
ＭＡＰをベースとするＮＰデータベース問合わせは、必要な呼出しに関連する機能用に使用することができる。特定のルーチング・レジスタは、ＭＡＰ  ＳＲＩ応答メッセージにより必要な再転送情報を提供するために、ＭＡＰレベル・アプリケーションと一緒に、宛先ＭＳＩＳＤＮのポートされた状態を識別するために使用される。
【０００８】
それ故、ルーチング・レジスタ機能は、移動番号ポータビリティ・サービスを提供している電気通信システムで重要な役割を持つ。ルーチング・レジスタの主な機能は、オペレータに再転送能力を提供することであり、必要な転送情報を返送するためのアプリケーション・レベルの機能を提供することである。ルーチング・レジスタは、呼出しに関連しない信号法メッセージ、および呼出しに関連する信号法メッセージの両方を処理する。ルーチング・レジスタにより、加入者は、あるオペレータから他のオペレータにポートした場合に、現在の移動電話番号をそのまま使用することができる。再転送機能は、「電話番号転送情報」の自由連想により実行することができる（加入者電話番号としては、例えば、ＭＳＩＳＤＮを使用することができる）。転送情報としては、サービス番号に対するリアルなディレクトリ番号、ネットワーク素子のアドレス、または、例えば、ルーチング・レジスタの内部データベースから問い合わせのあった移動番号ポータビリティ転送番号を使用することができる。
【０００９】
原則的には、ポートした加入者は、同じ加入ネットワーク内で、ポートしていない加入者と全く同じサービスを使用できなければならない。すなわち、番号ポータビリティ・サービスの最大の便宜を受けるために、加入者のＭＳＩＳＤＮが使用したネットワークに属していても、加入者のＭＳＩＳＤＮが使用したネットワークにポートしていても、同じサービスが受けられなければならないし、−その加入ネットワークをサービス・レベルに提供されるサービスは同じでなければならない。
【００１０】
ユーザに提供されるこれらのサービスは、補足電気通信サービスまたは機能を含む。補足サービスは、また、場合によっては、インテリジェント・ネットワーク（ＩＮ）サービス、または高度電気通信サービスとも呼ばれる。補足ネットワーク・サービスまたはインテリジェント・ネットワーク・サービスは、例えば、電気通信システムの１つまたはいくつかのノード内で提供されるソフトウェアおよび／またはハードウェアの実行による加入者への種々の洗練されたサービス、または付加価値サービスと定義することができる。ユーザは、固定ターミナルまたは移動ターミナルにより補足電気通信サービスにアクセスすることができる。補足ネットワーク・サービスは、プリペイド呼出し、異なる番号または番号空間への料金の異なる呼出し、呼出し禁止（「呼び出しお断り」）またはある種の番号または番号空間からの呼出しの阻止、呼出し転送、折返し電話（話中／呼出し不能な加入者の終了）、サービスの遠隔制御、種々の無料番号（「フリーダイヤル」）、または特別料金番号、応答／音声メール、会議呼出しまたはグループ呼出し、呼出し番号情報、残りの呼出し時間、加入グループまたは拡張グループ（例えば、仮想私設ネットワーク、ＶＰＮ）、ユーザ位置サービス等のユーザへのアナウンスを含む。
【００１１】
インテリジェント・ネットワーク（ＩＮ）のこの実施形態は、サービス交換（または検出およびトリガ）ポイント（ＳＳＰ）およびサービス制御ポイント（ＳＣＰ）を含むことができる。これら２つのポイントは、また、集積ユニットまたはノード（ＳＳＣＰ：サービス交換および制御ポイント）の形にすることもできる。検出およびトリガ装置は、例えば、ユーザが、ＩＮ呼出しを示す予め定めたプレフィックスを含む予め定めた電話番号をダイヤルすようにすることもできるし、または番号全体をＩＮ呼出しインジケータとして使用するようにすることもできる。交換ポイントは、ＩＮプレフィックスまたは番号を認識し、その後で、呼出し処理を中断し、制御ポイントからの次の命令を要求する。制御ポイントから命令を受け取った後で、交換ポイントは、その命令に従って動作する。トリガした後で、制御ポイントは、問題のインテリジェント・ネットワーク・サービスによりインテリジェント・ネットワークへの接続、およびその使用できる種々の機能を制御する。しかし、上記意外にも、（種々のタイマ装置のような）検出およびトリガ動作用の種々の他の方法もあることに留意されたい。
【００１２】
上記ＭＮＰ実施形態の場合には、ユーザは、自分の元のＭＳＩＳＤＮを保持することができる。反対に、ユーザのＩＭＳＩ（国際移動加入者識別）は、現在のアプリケーション内でポートしてはならないが、ポート動作進行中の受入ネットワークは、ポートした移動加入に対して新しいＩＭＳＩを発行しなければならない。
【００１３】
動作中、移動電気通信ネットワークは、ＭＳＩＳＤＮに基づいて、いくつかの仮定を行う。分類および分別機能のような移動電気通信ネットワークのいくつかの手順は、これらの仮定に直接基づいている。これらの仮定は、本質的に、ＭＳＩＳＤＮ番号範囲または番号空間を使用するすべての手順に影響を与える。番号ポータビリティ・サービスを使用している場合の問題は、ＭＳＩＳＤＮをベースとするこれらの仮定は、もはや有効でないということである。例えば、ＭＳＩＳＤＮは、もはや、被呼者が加入した実際のネットワークの情報を必要とする上記すべてのサービスに影響を与える実際の加入ネットワークを示さない（ＭＳＩＳＤＮは、元のネットワークしか表示しない）。さらに、ＭＳＩＳＤＮの番号範囲または空間は、もはや、すべての移動ネットワーク機能（例えば、国内宛先コード）で使用することができない。
【００１４】
問題のうちの１つは、ポートした番号に呼出しを行った場合、インテリジェント・ネットワーク制御ポイント、およびインテリジェント・ネットワーク制御ポイントの背後のすべてのサービスの実際の被呼番号を意識しない。すなわち、被呼加入者の実際のネットワーク内の番号を意識しない。さらに、移動番号ポータビリティ・サービス、およびインテリジェント・ネットワーク・サービスを同時に使用した場合、問題が起こることがわかった。ポートした番号を使用すると、例えば、呼出しが行われた時に、被呼加入者の位置を知ること、および／またはそれに被呼加入者が属するネットワーク／番号範囲を知ることが必須である、いわゆる「ホーム・ゾーン」タイプのサービス、または類似のサービスに対して悪影響がある。（このことは、例えば、その呼出しに対して提供される、呼出しまたはサービス・レベルの課金および転送に影響する。）この情報は、加入ネットワークのホーム・ロケーション・レジスタから入手することができるが、被呼加入者が、ポートした加入者である場合には、補足電気通信サービスは、加入者に対するホーム・ロケーション・レジスタのアドレスを意識しない。現在のタイプのルーチング・レジスタを使用した場合でも、使用したネットワークおよび同様にインテリジェント・ネットワーク・サービスで、信号法のロードが行われる。ポートした番号への呼出しの転送は、最適な状態で何時でも行われるわけではない。何故なら、呼出しは、呼出し側も、被呼側も、元のネットワークに加入していて、そのネットワークを使用している場合でも、元の（古い）オペレータの装置を通して転送されるからである。
【００１５】
現在まで解決されていないこれらの問題は、例えば、呼出しの課金、被呼ユーザの位置データ、バック信号法の見地から見た場合、呼出しの制御可能性およびか管理のから見て、さまざまな種類の影響を持つ場合がある。これらの影響の中のあるものは、ネットワークにおいて、機能不全を起こしたり、および／または過度の量の信号法のロードを起こすというような場合もある。
【００１６】
（発明の概要）
本発明の実施形態の目的は、上記問題のうちの１つまたはそれ以上を解決することである。
ある観点から見た場合、本発明は、電気通信システムでの１つの方法を提供する。上記電気通信システムは、第１の電気通信ネットワークおよび第２の電気通信ネットワークを備え、少なくとも１つの補足電気通信サービスを提供する。上記方法は、下記のステップ、すなわち、
【００１７】
上記電気通信システムを通して、第１の局と第２の局との間での通信のための設定手順を開始するステップと、
ポートした局の番号およびアドレスを変更しないですむように、上記第１の電気通信ネットワークから上記第２の電気通信ネットワークへの局のポートを容易にする番号ポータビリティ・サービスに対して問い合わせを送るステップと、
上記第２の局が、ポートした局であるかどうかを判断するステップと、
少なくとも１つの補足電気通信サービスに、上記少なくとも１つの補足電気通信サービスの使用を開始する前に上記判断の結果を通知するステップとを含む。
他の観点から見た場合、本発明は、電気通信システムで使用するためのネットワーク素子を提供する。上記電気通信システムは、少なくとも第１の電気通信ネットワークおよび第２の電気通信ネットワークを備え、上記システムと通信している局に対して少なくとも１つの補足電気通信サービスを提供し、
２つの局の間の呼出しの設定手順を行うための手段と、
上記少なくとも１つの補足電気通信サービスを制御するための手段と、
上記局に対して、ポートした局の番号およびアドレスを変更しないですむように、上記第１の電気通信ネットワークから上記第２の電気通信ネットワークへの局のポートを容易にする番号ポータビリティ・サービスを提供するための手段とを備える。
【００１８】
この場合、上記ネットワーク素子は、呼び出された局がポートした局であるかどうかを判断し、上記少なくとも１つの補足電気通信サービスに、その呼出しに対して上記少なくとも１つの補足電気通信サービスの使用を開始する前に上記判断の結果を通知するように配置されている。
【００１９】
さらに他の観点から見た場合、本発明は、上記システムに接続している少なくとも２つの局が通信することができるようにする電気通信システムを提供する。上記電気通信システムは、
第１の電気通信ネットワークと、
第２の電気通信ネットワークと、
上記システムと通信している局に対して少なくとも１つの補足電気通信サービスを提供するための補足電気通信サービス手段と、
上記少なくとも１つの補足電気通信サービスを制御するための制御手段と、
２つの局との間の設定手続きを行うための設定手段を呼び出すステップと、
上記局に対して、ポートした局の番号およびアドレスを変更しないですむように、上記第１の電気通信ネットワークから上記第２の電気通信ネットワークへの局のポートを容易にする番号ポータビリティ・サービスを提供するための手段とを備える。
【００２０】
この場合、上記ネットワーク素子は、呼び出された局がポートした局であるかどうかを判断し、上記少なくとも１つの補足電気通信サービスに、その呼出しに対して上記少なくとも１つの補足電気通信サービスの使用を開始する前に上記判断の結果を通知するように配置されている。
【００２１】
もっと特殊な実施形態の場合には、第２の局に対する番号ポータビリティ・サービスの状態の判断、および補足電気通信サービスに対する上記状態の通知は、番号ポータビリティ・サービスおよび補足電気通信サービスの両方を制御しているノードのところで行うことができる。補足電気通信サービスは、また、第２の局がポートした局であると判断された場合だけ、上記判断結果の通知を受けることができる。番号ポータビリティ・サービスを電気通信システムが提供する補足電気通信サービスの１つとすることができる。電気通信システムは、コントローラ、および移動電気通信ネットワークの個々の加入者に関連するユーザ関連データを記憶するためのホーム・ロケーション・レジスタとを含む少なくとも１つの移動電気通信ネットワークを備えることができ、番号ポータビリティ・サービスは、ネットワーク・コントローラとホーム・ロケーション・レジスタとの間に転送情報レジスタを備えることができる。ある実施形態の場合には、問い合わせは、接続設定中に、ネットワーク・コントローラからホーム・ロケーション・レジスタへの転送情報問い合わせとして送られる。転送情報問い合わせは、転送情報レジスタを通り、第２の局の番号ポータビリティ・サービスの状態の判断は、転送情報レジスタのところで行われ、第２の局が、ポートした番号であると判断された場合には、状態情報は、コントローラに返送されるが、この場合、転送情報問い合わせは、ホーム・ロケーション・レジスタに入ることはできない。番号ポータビリティ・サービスの状態は、補足電気通信アプリケーション・プロトコル・スイートの発呼状態モデルの最初のところで確認することができる。上記状態の確認は、ＩＮＡＰプロトコルの最初の検出ポイントのところにサービス・ルーチング・レジスタ問い合わせを送信するステップを含むことができる。
【００２２】
本発明の実施形態は、いくつかの利点を持つ。本発明の実施形態は、補足電気通信サービスが開始した場合に、補足電気通信サービス位置および加入ネットワークのような呼び出された側の情報が正しいことを確認することができる。このことは、例えば、呼出し課金および呼出し関連信号法および呼出し転送の観点から見た場合、呼出し処理および管理の点で有利である。上記実施形態は、また、呼出し送信容量（例えば、幹線およびゲートウェイの容量）の使用を最適化する際にも役に立つ。本発明の実施形態は、また、将来の用途の際に、ルーチング・レジスタ機能のより効率的使用を可能にする。ネットワーク素子の動作をより必要とする、さらに新しい高度ＩＮサービスが開発され、移動電気通信ネットワーク内の加入者の数が遥かに増大するにつれて、ルーチング・レジスタ機能の役割は、ますます重要になってゆくものと思われる。
本発明をよりよく理解してもらうために、添付の図面を参照しながら説明するが、この説明は単に例示としてのものに過ぎない。
【００２３】
（発明の好適な実施形態の説明）
図１について説明すると、この図は、公衆陸上移動通信網（ＰＬＭＮ）環境での、番号ポータビリティ・サービスのある実施形態である。より詳細に説明すると、この実施形態は、２つのＧＳＭ（移動体通信グローバル・システム）ネットワーク１および２を示す。しかし、例示としてのセルラー電気通信ネットワークの下記の説明において、ＧＳＭ、ＰＬＭＮという用語を使用したとしても、本発明の解決方法は、呼出し局および被呼局、補足電気通信サービス、および番号ポータビリティ・サービスの間で通信を提供する任意の電気通信システムでも使用することができることを理解されたい。
【００２４】
図１の場合には、呼出し側の移動局Ａ（Ａ番号）は、ＰＬＭＮ１の基地トランシーバ局（ＢＴＳ）４によるサービスを受ける。被呼移動局Ｂ（Ｂ番号）は、それに応じてＰＬＭＮ２の基地トランシーバ局（ＢＴＳ）１４によるサービスを受ける。この配置の場合には、システムの各基地トランシーバ局が、ＢＴＳの有効範囲内の各移動局（ＭＳ）ヘ信号を送信し、各移動局から信号を受信するようになっている。同様に、移動局は、各基地トランシーバ局へ信号を送信し、各基地トランシーバ局から信号を受信することができ、移動局は、各基地局との無線通信を通して上記送受信を行うことができる。図面を簡単にするために、図１には、基地局は１つしか示していないが、通常、多数の移動局が、各基地局と通信していることに留意されたい。各基地局は、基地局コントローラ（ＢＳＣ）５または１５を通して、各サービス提供ネットワーク・コントローラに接続することができる。図では、上記コントローラは、ゲートウェイ移動交換センター（ＧＭＳＣ）６および１６で示してある。１つ以上の基地局が、各コントローラに接続できることに留意されたい。また、通常、ネットワーク内には、１つ以上のコントローラが設置されていて、普通、ＧＭＳＣの代わりに、基地トランシーバ局が、移動交換センター（ＭＳＣ）によるサービスを受ける。その後で、数個のＭＳＣまたは類似のコントローラが、ゲートウェイ移動交換センター（ＧＭＳＣ）、または、例えば、ＧＰＲＳサービス内のサービス提供ＧＰＲＳサポート・ノード（ＳＧＳＮ）に接続している。しかし、本発明を理解するのに詳細なネットワーク・アーキテクチャは重要でないので、これ以上の説明は省略する。
【００２５】
図のＰＬＭＮネットワーク１および２は、また、ホーム・ロケーション・レジスタ（ＨＬＲ）８および１８をそれぞれ含む。ＰＬＭＮの通常の動作の場合には、ＰＬＭＮの各加入者は、ＨＬＲのようなネットワークの１つのレジスタ、またはデータベース内に永久に登録しなければならない。より詳細に説明すると、各ホーム・ロケーション・レジスタ、または類似のデータベースは、関連ネットワークに加入しているこれら加入者のユーザ関連データを永久に記憶するために使用される。加入者関連データは、ＭＳＩＳＤＮおよびＩＭＳＩの他に、移動局の現在の位置、加入サービスおよび／またはサービス・レベル、課金情報、サービス制限、および特定の実施形態に関連すると思われる、任意の他の類似の加入者関連情報を含む。ＨＬＲは、自立ネットワーク素子であってもよいし、ＭＳＣまたはＧＭＳＣのようなネットワーク・コントローラの中のあるものに内蔵させることもできる。
【００２６】
ＧＭＳＣ６は、さらに、補足電気通信サービス、すなわち、インテリジェント・ネットワーク（ＩＮ）サービス１０用の交換ポイントを含む。すでに説明したように、ＩＮサービスは、加入者が、自分の加入を通して使用することができる、種々の高度補足電気通信サービスを含む。
【００２７】
図１は、それぞれ、ネットワーク１および２用の他のサービス・ルーチング・レジスタ（ＳＲＲ）７および１７も示す。ルーチング・レジスタは、例えば、そのネットワークから他のネットワークにポートした加入者を含むテーブル内に、ポートした移動加入者の必要な転送情報を含む。開始した呼出しが、ポートした加入者宛てのものであるかどうかを確認するために、すべての呼出しに関連しない信号法メッセージ、およびあるネットワーク内またはその外から発信されたものであるが、上記ネットワーク宛ての転送問い合わせメッセージは、ネットワークのルーチング・レジスタを通して転送することができる。上記配置は、好適には、上記メッセージが、ネットワークのＨＬＲ宛てのものであっても、ネットワーク・コントローラとＨＬＲとの間の通信経路内に位置するルーチング・レジスタを通ることが好ましい。当然、その内部において、すべての呼出しが、このような方法で処理されるのではなく、例えば、ある番号空間への呼出しが、ルーチング・レジスタに送られないで、直接ＨＬＲへ送られるような配置にすることもできる。しかし、このような配置にすると、転送および／またはもっと複雑なソフトウェアおよびハードウェア実行内で、いくつかの問題が発生する。
【００２８】
図１には示していないが、番号ポータビリティ・サービスは、ＩＮサービスにより実行することもできることに留意されたい。すなわち、番号ポータビリティおよびその関連する記録は、ＩＮ１０または補足電気通信サービスを提供する類似の機能により提供される種々のサービスのうちの１つとすることもできる。
【００２９】
図１の場合には、Ｂ局（Ｂ番号）のユーザは、元のネットワーク１に加入しているが、現在はネットワーク２にポートしていて、そのため、そのＨＬＲ１８に登録している。Ｂ番号は、固定ライン・ネットワーク（図示せず）からネットワーク２にポートすることもできることに留意されたい。また、呼出し局Ａ（Ａ番号）は、任意のネットワーク、すなわち、ネットワーク１または２、または任意の固定ライン・ネットワークのような、任意の他のネットワークであってもよい。呼出しを開始すると（図３０のステップ３０も参照）、局Ａは、ＧＭＳＣ６に、ＩＡＭ（初期アドレス・メッセージ）または任意の適当な呼出し設定メッセージを送信する。呼び出されたＢ番号を分析した後で、ＧＭＳＣ６は、ＳＲＩ（送信転送情報）を生成して、ルーチング・レジスタＳＲＲ７を通して、ＨＬＲ８に送信する（図３のステップ３２）。番号ポータビリティ・サービスがＩＮ１０により実行された場合には、転送情報問い合わせは、例えば、ＩＤＰ（初期検出ポイント：ＩＮサービスの使用を開始する手順）に内蔵させることもできる。ポートした加入者の場合には、ルーチング・レジスタは、その後で、転送番号を識別する（例えば、ＩＮＡＰ内のＣＯＮのような）接続メッセージで応答する。
【００３０】
ＳＲＲ７は、その呼出しが、ポートしたＢ番号、またはネットワーク１の実際の加入者に送られたかどうかを確認するように構成されている（図３のステップ３４）。この確認は、例えば、ポートした加入者に対する新しいネットワークへの、およびポートしていない加入者に対するＨＬＲへの転送情報を含むルーチング・レジスタ・データベースにより行うことができる。より詳細に説明すると、上記構成は、上記番号が、ルーチング・レジスタのデータベース内に記憶されるようにすることができる。この場合、外部からの転送情報要求は、このデータベースにより確認される。他の実施形態の場合には、ポートした番号は、ルーチング・レジスタに内蔵されているテーブル内にマッピングされる。この場合、すべての外部からの転送情報要求は、このテーブルにより確認される。しかし、他の方法によりＢ番号の状態のこの判断を行うこともできる。
【００３１】
番号がポートしていない番号であると判断された場合には、信号法は、ＨＬＲ８に送られて、呼出し手順が通常の方法で継続して行われる（図３のステップ４）。しかし、図１は、ＳＲＲ７が、その呼出しが、ネットワーク２にポートしたＢ加入者宛てものであり、（そのために、ネットワーク２のＨＬＲ１８に登録されている）ことを認識し、それゆえ、元のネットワーク１のＨＬＲ８に転送情報を送る代わりに、ＳＲＲ７が、ＧＭＳＣ６に呼び出された番号は、ポートした番号であることを示す応答メッセージ（ＳＲＩｒｅｓｐ）、および／またはコントローラにポートした番号の実際のネットワーク２への転送情報を提供する応答メッセージを返送する場合の状態を示す（図３のステップ３８）。ＭＡＰレベル番号ポータビリティ・アプリケーションは、ＭＡＰ  ＳＲＩ応答メッセージをローミング番号として、認識コード付き被呼側番号に含まれているＧＭＳＣへ返送するために使用することができる。この場合、認識コードは、その後で、正しい加入ネットワークを識別する。その後で、ＧＭＳＣは、認識コードに基づいて、加入ネットワーク２に呼出し信号法を転送することができる。ＧＭＳＣ６からＧＭＳＣ１６へのメッセージは、例えば、「修正した」ＩＡＭの形にすることができる。加入ネットワーク２のＧＭＳＣ１６は、メッセージを受信し、プレフィックスを除去し、修正したＩＡＭ内で受信した、被呼側番号に対して行った分析に基づいて、新しい転送情報問い合わせを発生し、それを、ルーチング・レジスタＳＲＲ１７を通して、ＨＬＲ１８に送信する。レジスタ１７は、被呼側Ｂ番号の加入番号を判断し、転送情報問い合わせが、それ以上の処理を受けることなく、ＨＬＲ１８に送られるようにする。ＨＬＲ１８は、その後で、例えば、ＭＡＰ  ＳＲＩ応答メッセージ内で、ローミング番号をＧＭＳＣ１６に返送し、その後で、ＧＭＳＣ１６は、被呼Ｂ番号に関連する呼出しを局に転送することができる。
【００３２】
ネットワーク１のコントローラ６に再転送情報を提供するほかに、ルーチング・レジスタ７は、また、インテリジェント・ネットワーク・サービス１０に、インテリジェント・ネットワーク・サービス、もっと正確にいうと、その制御ポイントが、被呼側がポートした加入者であることに気がついたという情報を提供する（図３のステップ４０）。この種の構成により、任意のインテリジェント・ネットワーク・サービスに呼出し設定中、および上記インテリジェント・ネットワーク・サービスの実際の使用が開始する前にポート状態情報を提供することができる。
【００３３】
図２は、インテリジェント・ネットワーク・ノード内で実行されたＩＮをベースとする番号ポータビリティ・サービスを示す、本発明の一実施形態の略図である。上記ノードは、ＭＳＣ／ＳＳＰ機能６、９、番号ポータビリティ・サービスのルーチング・レジスタ７、およびノードが提供するすべての上記補足電気通信サービスの使用を制御するためのサービス制御ポイントＳＣＰ１１を含む。より詳細に説明すると、図２は、以下に、より詳細に説明するように、インテリジェント・ネットワーク・アプリケーション部（ＩＮＡＰ）プロトコルの異なる呼出し状態モデルに対して、呼出し設定中、ＩＮノード内で信号法がどのように実行されるのかを示す。
【００３４】
すでに説明したように、ルーチング・レジスタＳＲＲ７としては、（この例の場合には、呼出し加入者である）Ａ加入者に対して提供される他のＩＮサービスと一緒に、同じノード内で実行されるＩＮをベースとする補足サービスを使用することができる。ＩＮサービスのサービス制御ポイントＳＣＰ１１は、Ａ加入者の、より詳細に説明すると、補足電気通信サービスの使用を含むＡ加入者のすべての通信を制御するように構成されている。制御ポイント１１は、補足電気通信サービス、すなわち、ＩＮサービスに対して必要なデータおよび論理を含む。制御ポイント１１は、サービス交換ポイント（図２には図示せず）から要求を受信し、要求されたサービスを実行し、必要な情報を交換ポイントに返送する。それ故、制御ポイント１１は、使用したサービスの課金および管理のような、種々の機能を処理する。制御ポイントの機能は、サービス制御機能（ＳＣＦ）と呼ばれることがある。すでに説明したように、サービス交換ポイントおよび制御ポイントは、１つのノード内（例えば、電話交換機、無線ネットワーク・コントローラまたは交換センター内）で実行することができる。その後で、上記ノードは、ＩＮ接続の検出、およびサービス論理の実行の両方のために機能する。
【００３５】
呼出し設定中、呼出しているＡ加入者を制御している制御ポイントＳＣＰは、インテリジェント・ネットワーク・アプリケーション部（ＩＮＡＰ）プロトコル・スイートの発呼基本呼出し状態モデル（ＯＢＣＳＭ）中、情報を受信および／または送信するための信号法接続を持つことができる。ＯＢＣＳＭは、呼出し設定の第１の（発呼）段階であると定義することができる。図２は、さらに、ＩＮＡＰプロトコル・スイートの終端基本呼出し状態モデル（ＴＢＣＳＭ）を示す。このモデルは、呼出し処理モデルの後の段階、すなわち、その内部において、呼出し設定が終了した段階である。ＳＣＰは、また、ＴＢＣＳＭと信号法接続を持つことができる。しかし、現在のＩＮアプリケーションの通常のアーキテクチャのために、ＳＣＰ１１は、同じ論理で、ＯＢＣＳＭおよびＴＢＣＳＭとの信号法を処理することはできない。しかし、これらモデルは、それらの間で相互作用を全然行わなくても、別々のサービス論理または別々の独立している対象物により、いつでも処理することができる。
【００３６】
転送情報問い合わせを、ＴＢＣＳＭのところで問い合わせを行う代わりに、この段階で、ＳＲＲへＩＤＰを送信することにより、発呼基本呼出し状態モデル（ＯＢＣＳＭ）のところで、実行することができることが分かっている。ＳＲＲ７により、被呼Ｂ番号が、ポートしたＢ番号であると判断された場合には、ＳＣＰ１１は、任意の他のＩＮサービスが開始する前に、ＯＢＣＳＭのところで、Ｂ加入者の状態の通知を受け取ることができる。従来技術の提案の場合には、転送情報レジスタ７からの転送情報問い合わせは、ＴＢＣＳＭのところだけで実行されたが、ＳＣＰ１１は、Ｂ番号のポート状態に関する情報を受信することができないので、Ｂ番号のポート状態に関する情報なしで、ＳＣＰ１１により、ＩＮサービスを開始させなければならない。そのため、上記の問題が発生する。
【００３７】
転送情報問い合わせの後にしか開始しない、他のＩＮサービスは、呼出しをＩＮサービスにトリガした時点で、初期検出ポイント（ＩＤＰ）のところで、すでにＮＰ状態情報を受信する。すなわち、ＮＰサービスの状態は、任意の他のＩＮサービスが開始する前に、発呼基本呼出し状態モデルの始めのところで、すでに確認されている。これにより、番号ポータビリティ・サービスと他のＩＮサービスとの間の相互作用を正しく制御することができる。
【００３８】
上記説明においては、ＩＮＡＰプロトコル・スイートの使用について説明したが、本発明は、ＣＡＰ（移動ネットワーク強化論理（ＣＡＭＥＬ）アプリケーション・プロトコル）用の、カスタマイズされたアプリケーション）のような他の補足電気通信サービス・プロトコルと一緒に実行することができることに留意されたい。
【００３９】
また、移動局および移動電気通信ネットワークに関連して本発明の実施形態を説明してきたが、本発明の実施形態は、任意の他の適当なタイプのユーザ装置およびネットワークにも適用することができることを理解されたい。例えば、ルーチング・レジスタから転送情報を要求しているネットワーク・コントローラは、固定ライン電気通信システムの交換機またはノードであってもよいし、それに対して情報が提供される補足サービスは、固定ライン電気通信ネットワークの加入者に提供された補足無線サービスである。さらに、時分割多元接続（ＴＤＭＡ）を使用するＧＳＭシステムを例にひいて、本発明の実施形態について説明してきた。本発明は、また、周波数分割多元接続（ＦＤＭＡ）および符号分割多元接続（ＣＤＭＡ）およびこれらの任意のハイブリッドを含む任意の他のアクセス技術にも適用することができることは明らかである。
【００４０】
今迄、本発明の例示としての実施形態について説明してきたが、添付の特許請求の範囲に記載する本発明の精神および範囲から逸脱することなしに、上記の解決方法を種々に変更および修正することができることにも留意されたい。
【図面の簡単な説明】
【図１】  番号ポータビリティを提供する電気通信システムの全体の配置を示す。
【図２】  本発明のある実施形態の信号法を示す。
【図３】  本発明のある実施形態の動作を示すフローチャートである。
【図１】
0003764387.tif 000002
【図２】
0003764387.tif 000003
【図３】
0003764387.tif 000004